(57)【要約】【課題】外壁側に大きく開放できる吹抜けを備えた建物を提供する。【解決手段】建物本体１の外周角部に形成された吹抜け２を挟んで直交配置されている２つの外壁１ａ，１ａの吹抜け側の側端部に、２つの外壁にそれぞれ直交する耐力壁４，４が吹抜け２の上下方向に延在し、かつ外壁１ａ，１ａの外側に突出するようにして固定され、建物本体１の外周角部の外側に、柱部５が吹抜け２の上下方向に延在して立設され、２つの耐力壁４，４記柱部５とが梁部６，６によって連結されている。したがって、建物本体１の外周角部を十分に補強できるので、外壁側に大きく開放できる吹抜け２を備えた建物を提供できる。【選択図】図３
2008019672.tif 000002
【特許請求の範囲】
【請求項１】
建物本体の外周角部に、この外周角部を切り欠かいてなる吹抜けが形成されており、
前記吹抜けを挟んで直交配置されている２つの外壁の前記吹抜け側の側端部には、前記２つの外壁にそれぞれ直交する耐力壁が前記吹抜けの上下方向に延在し、かつ前記外壁の外側に突出するようにして固定されており、
前記建物本体の外周角部の外側には、柱部が前記吹抜けの上下方向に延在して立設されており、
前記２つの耐力壁と前記柱部とが梁部によって連結されていることを特徴とする建物。
【請求項２】
請求項１に記載の建物において、
前記梁部は前記建物本体の上下方向に所定間隔で複数設けられていることを特徴とする建物。
【請求項３】
請求項１または２に記載の建物において、
前記梁部は、鉛直に設けられた第１構造用パネルと、水平に設けられた第２構造用パネルとを有することを特徴とする建物。
【請求項４】
請求項３に記載の建物において、
前記梁部は、前記第１構造用パネルと、この第１構造用パネルと平行に配置されたマグサと、これら第１構造用パネルおよびマグサに設置された前記第２構造用パネルによって構成されていることを特徴とする建物。
【請求項５】
請求項１〜４のいずれか一項に記載の建物において、
前記柱部は構造用木質パネルで四角筒状に形成されていることを特徴とする建物。
【発明の詳細な説明】
【技術分野】
【０００１】
本発明は、建物本体の外周角部に吹抜けを形成してなる建物に関する。
【背景技術】
【０００２】
建物本体の外周角部に吹抜けを形成してなる建物の一例として特許文献１に記載のものが知られている。この公報に記載の建物では、吹抜けが２つの直交する外壁と、一方の外壁に直交する内壁との内側に設けられており、この吹抜けは２階床を貫通して２階の天井まで達している。
【特許文献１】特開２００５−３２５５２５号公報
【発明の開示】
【発明が解決しようとする課題】
【０００３】
ところで、建物の外周角部に２階天井まで達する吹抜けを形成し、この吹抜けを外壁側にも大きく開放可能すれば、採光性や通風性に優れた建物を構築することができる。しかし、１階から２階天井まで達する吹抜けを形成した場合、この吹抜けには床がないので、該吹抜けを外壁側に大きく開放すると、建物の外周角部の強度が不足してしまうという課題がある。このため、前記従来の建物では吹抜けを外壁側に大きく開放することができず、開口部が殆ど無い外壁の内側に吹抜けを設けていた。
【０００４】
本発明は上記事情に鑑みてなされたもので、外壁側に大きく開放できる吹抜けを備えた建物を提供することを課題としている。
【課題を解決するための手段】
【０００５】
上記課題を解決するために、請求項１に記載の発明は、例えば図１〜図３に示すように、建物本体１の外周角部に、この外周角部を切り欠かいてなる吹抜け２が形成されており、
前記吹抜け２を挟んで直交配置されている２つの外壁１ａ，１ａの前記吹抜け側の側端部には、前記２つの外壁１ａ，１ａにそれぞれ直交する耐力壁４，４が前記吹抜け２の上下方向に延在し、かつ前記外壁１ａ，１ａの外側に突出するようにして固定されており、
前記建物本体１の外周角部の外側には、柱部５が前記吹抜け２の上下方向に延在して立設されており、
前記２つの耐力壁４，４と前記柱部５とが梁部６，６によって連結されていることを特徴とする。
【０００６】
請求項１に記載の発明によれば、建物本体１の外周角部に、この外周角部を切り欠かいてなる吹抜け２が形成されているので、この吹抜け２を外壁側に大きく開放できる。そして、吹抜け２を挟んで直交配置されている２つの外壁１ａ，１ａの吹抜け側の側端部に固定された耐力壁４，４と、建物本体１の外周角部の外側に立設された柱部５とが梁部６，６によって連結されているので、これら耐力壁４，４、柱部５、梁部６，６によって門形のラーメン構造を形成することができる。これによって、建物本体１の外周角部を十分に補強できるので、外壁側に大きく開放できる吹抜け２を備えた建物を提供できる。
【０００７】
請求項２に記載の発明は、請求項１に記載の建物において、
前記梁部６，１６は前記建物本体１の上下方向に所定間隔で複数設けられていることを特徴とする。
【０００８】
請求項２に記載の発明によれば、梁部６，１６が建物本体１の上下方向に所定間隔で複数設けられているので、これら梁部６，１６によって耐力壁４と柱部５とを高さ方向の複数箇所で連結できる。よって建物本体１の高さが高くなっても、外壁側に大きく開放できる吹抜け２を容易に設けることができる。
【０００９】
請求項３に記載の発明は、請求項１または２に記載の建物において、
前記梁部６は、鉛直に設けられた第１構造用パネル７と、水平に設けられた第２構造用パネル９とを有することを特徴とする。
【００１０】
請求項３に記載の発明によれば、第１構造用パネル７によって鉛直方向に作用する力に抗することができ、第２構造用パネル９によって水平方向に作用する力に抗することができるので、吹抜け２が設けられた建物本体１の外周角部を効果的に補強できる。
【００１１】
請求項４に記載の発明は、請求項３に記載の建物において、
前記梁部６は、前記第１構造用パネル７と、この第１構造用パネル７と平行に配置されたマグサ８と、これら第１構造用パネル７およびマグサ８に設置された前記第２構造用パネル９とによって構成されていることを特徴とする
【００１２】
請求項４に記載の発明によれば、第２構造用パネル９が、第１構造用パネル７とマグサ８によって支持されているので、第２構造用パネル９を安定的に設けることができ、また、この第２構造用パネル９の上面を棚や出窓の床としても利用できる。
【００１３】
請求項５に記載の発明は、請求項１〜４のいずれか一項に記載の建物において、
前記柱部５は構造用パネル５ａで四角筒状に形成されていることを特徴とする。
【００１４】
請求項５に記載の発明によれば、柱部５が構造用パネル５ａで四角筒状に形成されているので、柱部５を強固に形成できるとともに、柱部５の内部を例えば、外部で使用する物品や縦樋の収納所としても利用できる。
【発明の効果】
【００１５】
本発明によれば、建物本体の外周角部に形成された吹抜けを挟んで直交配置されている２つの外壁の前記吹抜け側の側端部に、２つの外壁にそれぞれ直交する耐力壁が吹抜けの上下方向に延在して固定されており、建物本体の外周角部の外側に、柱部が吹抜けの上下方向に延在して立設されており、２つの耐力壁と柱部とが梁部によって連結されているので、これら耐力壁、柱部、梁部によって門形のラーメン構造を形成することができる。これによって、建物本体の外周角部を十分に補強できるので、外壁側に大きく開放できる吹抜けを備えた建物を提供できる。
【発明を実施するための最良の形態】
【００１６】
以下図面を参照して本発明の実施の形態について説明する。
図１は本発明に係る建物の平断面図、図２は図１におけるＡ―Ａ線断面図、図３は同建物の外周角部の一部を破断した斜視図である。
これらの図に示す建物は、２階建ての建物であり、例えば周知の木質パネル工法によって構築される。木質パネル工法は、屋根、壁、床等を予め工場等においてパネル化しておき、このパネル化された木質パネルを現場で組み立てることによって建物を構築する方法である。パネルは、矩形枠の内部に必要に応じて補強桟材を組み付けてなる枠体の少なくとも一方の面に合板等からなる面材を貼着して形成されたものである。
【００１７】
建物本体１は、平断面長方形状に形成されており、その４つの外周角部のうち、１つの外周角部には、この外周角部を切り欠かいてなる吹抜け２が形成されている。この吹抜け２は１階の床から２階の床を貫通して２階の天井まで達すものであり、平面視方形状に形成されている。
この吹抜け２を挟んで直交配置されている２つの外壁１ａ，１ａの吹抜け側の側端部には、２つの外壁１ａ，１ａにそれぞれ直交する耐力壁４，４が吹抜け２の上下方向に延在し、かつ外壁１ａ，１ａの外側に突出するようにして固定されている。耐力壁４は木質の構造用パネルによって形成されたものである。なお、構造用パネルは、矩形枠の内部に必要に応じて補強桟材を組み付けてなる枠体の両面に合板等からなる面材を貼着して形成されたものである。
【００１８】
また、建物本体１の前記外周角部の外側には、柱部５が吹抜け２の上下方向に延在して立設されている。この柱部５は木質の構造用パネル５ａで四角筒状に形成されている。構造用パネル５ａは、矩形枠の内部に必要に応じて補強桟材を組み付けてなる枠体の両面に合板等からなる面材を貼着して形成された長方形板状のものであり、該構造用パネル５ａを４枚４角筒状に組み立てることによって、柱部５が構成されている。なお、図３においては、柱部５はその一部を破断して示している。
【００１９】
前記２つの耐力壁４，４と柱部５とは梁部６，６によって連結されている。梁部６は鉛直に設けられた第１構造用パネル７と、この第１構造用パネル７と平行に配置されたマグサ８と、これら第１構造用パネル７およびマグサ８に水平に設置された第２構造用パネル９によって構成されている。この第２構造用パネル９は２階の床３と同じ高さに設けられている。なお、図３においては、右側の第２構造用パネル９はその一部を破断して示している。
第１構造用パネル７は、矩形枠の内部に必要に応じて補強桟材を組み付けてなる枠体の両面に合板等からなる面材を貼着して形成された長方形板状のものであり、第２構造用パネル９は、矩形枠の内部に必要に応じて補強桟材を組み付けてなる枠体の上面に合板等からなる面材を貼着して形成された長方形板状のものである。
【００２０】
前記第１構造用パネル７は、その両端部がそれぞれ耐力壁４と柱部５とに接着剤や釘打ちによって強固に固定されている。また、マグサ８はその一端部が前記外壁１ａに接着や釘打ちによって強固に固定されており、他端部が柱部５に接着や釘打ちによって強固に固定されている。さらに、第２構造用パネル９はその下面が第１構造用パネル７とマグサ８に接着や釘打ちによって強固に固定されており、側端面が耐力壁４と柱部５とに接着や釘打ちによって強固に固定されている。なお、図２に示すように、第２構造用パネル９の両側部には胴差１０，１０が固定されおり、この胴差１０，１０はマグサ８や第１構造用パネルに接着や釘打ちによって強固に固定されている。
また、上記のような構成の梁部６は建物本体１の上下方向に所定間隔で複数設けられている。本実施の形態では、図３に示すように、２階の床３と等しい高さにある梁部６の上方に、他の梁部１６が２階の天井１１と等しい高さに設けられ、この梁部１６によって前記耐力壁４と柱部５とが連結されている。
【００２１】
そして、上記のような構成の建物では、吹抜け２が例えば玄関の吹抜けとして利用される。この吹抜け２は外壁側に大きく開放しており、その開放された部分、つまり耐力壁４と柱部５と梁部６とによって囲まれた２階部分には大きな窓等が設けられ、１階部分には玄関扉や大きな窓等が設けられる。
【００２２】
本実施の形態によれば、建物本体１の外周角部に、この外周角部を切り欠かいてなる吹抜け２が形成されているので、この吹抜け２を外壁側に大きく開放できる。そして、吹抜け２を挟んで直交配置されている２つの外壁１ａ，１ａの吹抜け側の側端部に固定された耐力壁４，４と、建物本体２の外周角部の外側に立設された柱部５とが梁部６によって連結されているので、これら耐力壁４、柱部５、梁部６によって門形のラーメン構造を形成することができる。これによって、建物本体１の外周角部を十分に補強できるので、外壁側に大きく開放できる吹抜け２を備えた建物を提供できる。
また、梁部６が建物本体１の上下方向に所定間隔で複数設けられているので、これら梁部２によって耐力壁４，４と柱部５とを高さ方向の複数箇所で連結できる。よって建物本体１の高さが高くなっても（例えば３階建てになっても）、外壁側に大きく開放できる吹抜け２を容易に設けることができる。
【００２３】
さらに、梁部６が、鉛直に設けられた第１構造用パネル７と、水平に設けられた第２構造用パネル９とを有するので、第１構造用パネル７によって鉛直方向に作用する力に抗することができ、第２構造用パネル９によって水平方向に作用する力に抗することができるので、吹抜け２が設けられた建物の外周角部を効果的に補強できる。
加えて、第２構造用パネル９が、第１構造用パネル７とマグサ８によって支持されているので、第２構造用パネル９を安定的に設けることができ、また、この第２構造用パネル９の上面を棚や出窓の床としても利用できる。
また、柱部５が構造用木質パネル５ａで四角筒状に形成されているので、柱部５を強固に形成できるとともに、柱部５の内部を例えば、外部で使用する物品や縦樋の収納所としても利用できる。
【００２４】
なお、本実施の形態では、２階建ての建物を例にとって、本発明に係る建物を説明したが、本発明は３階建てやそれ以上の建物にも適用できる。３階建ての建物の場合、図３に示すように、上方の梁部１６を２階の床と等しい高さに設ければよい。
【図面の簡単な説明】
【００２５】
【図１】本発明に係る建物の一例を示すもので、その平断面図である。
【図２】同、図１におけるＡ―Ａ線断面図である。
【図３】同、建物の外周角部の一部を破断した斜視図である。
【符号の説明】
【００２６】
１  建物本体
１ａ  外壁
２  吹抜け
４  耐力壁
５  柱部
６，１６  梁部
７  第１構造用パネル
８  マグサ
９  第２構造用パネル
【図１】
2008019672.tif 000003
【図２】
2008019672.tif 000004
【図３】
2008019672.tif 000005